(57)【要約】
【課題】  建物の室外で日光の遮断を行なうことによって、建物内の空調効率を向上させる、省エネルギー対策に有効な室外取付型ロールスクリーンを提供する。
【解決手段】  遮光性を備える略長方形のスクリーン部と、該スクリーン部を巻き取るスクリーン巻込部と、該スクリーン巻込部を収納し、かつ該スクリーンが出入りするためのスクリーン出入口部を備えたスクリーン本体ケース部と、該スクリーン部の下端を挿着した略長方形のボトム部と、該スクリーン本体ケース部の左右両端から鉛直に伸び、かつ該ボトム部の両端を挿入した一対のガイドレール部と、該スクリーン本体ケース部の左右両端の上面において、該スクリーン本体ケース部と直交して設置された一対の上部アーム部と、該ガイドレール部下部において、該上部アームと同方向かつ水平方向に平行して設置された一対の下部アーム部とを有することを特徴とする。
【選択図】  図４
0003100982.tif 000002
【実用新案登録請求の範囲】
【請求項１】
建物に既設された窓サッシ枠に設置するための室外取付型ロールスクリーンにおいて、
遮光性を備える略長方形のスクリーンと、該スクリーンを巻取るスクリーン巻取部と、該スクリーン巻取部を収納し、かつ該スクリーンが出入りするためのスクリーン出入口部を備えたスクリーン本体ケースと、
該スクリーンの下端を挿着したボトムと、
該スクリーン本体ケースの左右両端から鉛直に延び、かつ該ボトムの両端を上下方向に滑動可能にそれぞれ挿入した一対のガイドレールと、
該スクリーン本体ケースの左右両端から水平に延びる一対の上部アームと、
該ガイドレール下部において、該上部アームと平行に延びる一対の下部アームとを有することを特徴とする室外取付型ロールスクリーン。
【請求項２】
前記スクリーン本体ケース及びガイドレールと前記窓サッシ枠との間に空間を設けるべく、前記上部アーム及び前記下部アームに一定の長さを持たせたことを特徴とする請求項１に記載の室外取付型ロールスクリーン。
【請求項３】
前記ガイドレールの正面及び外側面に設置したガイドレールカバーと、
前記上部アームと前記スクリーン本体ケースの外側面に設置した上部サイドカバーと、
前記下部アームの両側面に設置された下部サイドカバーとを有することを特徴とする請求項１または請求項２に記載の室外取付型ロールスクリーン。
【考案の詳細な説明】
【技術分野】
【０００１】
本考案は、建物に既設された窓サッシ枠に設置する室外取付型ロールスクリーンに関する。
【背景技術】
【０００２】
従来、建物の窓は、室内の採光や換気を行う役割を果たしてきた。また、窓から外を眺めることは、建物内部にいる人にとって気晴らしや気分転換になり、精神衛生的にも重要な役割を果たしている。
【０００３】
現在はほとんどの建物に空調設備が整い、内部の室温は常に快適に保たれている。そのため、空調による消費エネルギーは膨大なものとなり、近年において展開されているエネルギー問題の一要因となっている。
【０００４】
建物内部の室温は、窓から室内に入り込む日光に影響される。そのため、日光を遮断することによって室内の空調負荷を軽減することができる。室内に入り込む日光を遮断する器具としてはカーテン、ブラインド、ロールスクリーン等が用いられる。
【０００５】
カーテン、ブラインド、ロールスクリーン等は、窓際の室内側に取り付けて使用するのが一般的である。しかしその場合、日光の熱がカーテン等と窓の間に溜まるため、空調負荷の軽減は期待できない。
【考案の開示】
【考案が解決しようとする課題】
【０００６】
上記のような現状に鑑み、本考案の目的は、室外で日光の遮断を行なうことによって建物内の空調効率を向上させる、省エネルギー対策に有効な室外取付型ロールスクリーンを提供することである。
【課題を解決するための手段】
【０００７】
請求項１に係る室外取付型ロールスクリーンにおいては、建物に既設された窓サッシ枠に設置するための室外取付型ロールスクリーンにおいて、遮光性を備える略長方形のスクリーンと、該スクリーンを巻き取るスクリーン巻取部と、該スクリーン巻取部を収納し、かつ該スクリーンが出入りするためのスクリーン出入口部を備えたスクリーン本体ケースと、該スクリーンの下端を挿着したボトムと、該スクリーン本体ケースの左右両端から鉛直に延び、かつ該ボトムの両端を上下方向に滑動可能にそれぞれ挿入した一対のガイドレールと、該スクリーン本体ケースの左右両端から水平に延びる一対の上部アームと、該ガイドレール下部において、該上部アームと平行に延びる一対の下部アームとを有することを特徴とする。
【０００８】
請求項２に係る室外取付型ロールスクリーンにおいては、前記スクリーン本体ケース及びガイドレールと前記窓サッシ枠との間に空間を設けるべく、前記上部アーム及び前記下部アームに一定の長さを持たせたことを特徴とする。
【０００９】
請求項３に係る室外取付型ロールスクリーンにおいては、前記ガイドレールの正面及び外側面に設置したガイドレールカバーと、前記上部アームと前記スクリーン本体ケースの外側面に設置した上部サイドカバーと、前記下部アームの両側面に設置された下部サイドカバーとを有することを特徴とする。
【考案の効果】
【００１０】
以上の通り、本考案による室外取付型ロールスクリーンにおいては、室外で日光の遮断を行なうことによって建物内の空調効率を向上させることができる。また、上部及び下部のアームにより設けられる空間により、通風性及び放熱性を確保することができる。
【考案を実施するための最良の形態】
【００１１】
以下、図面を参照して本考案の実施の形態について説明する。
図１は、本考案による室外取付型ロールスクリーン１の概観前面図である。図示の室外取付型ロールスクリーン１は、窓サッシ枠に設置する前の外観を示している。スクリーン本体ケース２は、スクリーン５を巻き取るスクリーン巻取部３を収納している。ここでは図示されていないが、スクリーン本体ケース２の下面には、スクリーン巻取部３からスクリーン５を出し入れするスクリーン出入り口部が設置されている。スクリーン５の下辺には、スクリーン５の下端を挿入して設置した棒状あるいは略長方形の板状のボトム６が取り付けられている。
【００１２】
スクリーン本体ケース２の下面両端部には、鉛直方向に延びたガイドレール７が設置されている。ガイドレール７にはスクリーン５の両端及びボトム６の両端が挿入されている。ボトム６の両端は、ガイドレール７の軌道上を上下方向に滑動可能である。また、ボトム６はガイドレール７上の任意の位置で停止することができる。ボトム６及びガイドレール７により、スクリーン５は安定した状態で上下方向に移動、または停止することができる。
【００１３】
スクリーン本体ケース２の上面両端には、水平方向に延びる上部アーム８が設置されている。また、ガイドレール７の下端には、上部アーム８に平行に延びる下部アーム９が設置されている。また、上部アーム８及び下部アーム９の背面には、略長方形の上部取り付け部１４及び下部取り付け部１５がそれぞれ取り付けられている。。
【００１４】
スクリーン５の生地は、適度な遮光性及び通気性を備えたメッシュ状の編み物や織物が望ましい。また、繊維素材は防炎効果のあるガラス繊維が好適であるが、天然材料あるいは合成材料の使用も可能である。
【００１５】
スクリーン５以外の部分の材質は、軽量で堅固な素材、例えばアルミニウムが好適である。
【００１６】
図２は、図１に示した室外取付型ロールスクリーン１を窓サッシ枠に取り付けた一般的実施例の概略的なＡ−Ａ断面図である。スクリーン５を巻き取るスクリーン巻取部３は、自らは自由に回転できる状態で、その両端がスクリーン本体ケース２左右両端面に取り付けられる。
【００１７】
上部アーム８及び下部アーム９は、適宜な長さと厚みを持った腕木状である。上部アーム８は、スクリーン本体ケース２の上面において背面方向に長く設置されている。また、下部アーム９は、ガイドレール７の下端において上部アーム８と平行かつ同方向に長く設置されている。
【００１８】
上部アーム８及び下部アーム９の背面に沿って、略長方形の上部取り付け部１４及び下部取り付け部１５がそれぞれ設置される。建物の躯体に設置した場合の安定性を確保するため、上部取り付け部１４及び下部取り付け部１５の形状は、それぞれが設置されている上部アーム７及び下部アーム８の背面より上下方向に長い略長方形であることが望ましい。
【００１９】
上部取り付け部１４及び下部取り付け部１５を、それぞれ窓１７の上下の躯体１６に位置させ、リベット等を用いて躯体１６に鋲着させることによって、室外取付型ロールスクリーン１を設置する。
【００２０】
その際、上部アーム８及び下部アーム９の長さに応じて、スクリーン５と窓１７の間に空間ができる。この空間を設けることによって通風が可能になり、スクリーン５を通過した日射熱を外部に逃すことができる。
【００２１】
図３は、図２に示した室外取付型ロールスクリーン１に、保護及び美観のためのカバーを取り付けた状態を示す一実施例の概略的横面図である。上部アーム８及びスクリーン本体ケース２の左右外側面には略長方形の上部サイドカバー１０を、また、下部アーム９の左右外側面には略長方形の下部サイドカバー１１を、それぞれ設置する。
【００２２】
図４は、図３に示した室外取付型ロールスクリーン１の概略的斜視図である。ガイドレール７の外側面及び正面に、略長方形のガイドレールサイドカバー１２及びガイドレールフロントカバー１３をそれぞれ設置する。ガイドレールサイドカバー１２の幅は、スクリーン５と窓サッシ枠間の空間を損なうことのない程度の長さが好適である。
【図面の簡単な説明】
【００２３】
【図１】本考案による室外取付型ロールスクリーンの概略正面図である。
【図２】図１に示した室外取付型ロールスクリーンを窓サッシ枠に取り付けた状態を示す一般的実施例の概略的なＡ−Ａ断面図である
【図３】図２に示した室外取付型ロールスクリーンにカバーを取り付けた状態を示す一実施例の概略的横面図である。
【図４】図３に示した室外取付型ロールスクリーンの概略的斜視図である。
【符号の説明】
【００２４】
１  室外取付型ロールスクリーン
２  スクリーン本体ケース
３  スクリーン巻取部
４  スクリーン出入り口部
５  スクリーン
６  ボトム
７  ガイドレール
８  上部アーム
９  下部アーム
１０  上部サイドカバー
１１  下部サイドカバー
１２  ガイドレールサイドカバー
１３  ガイドレールフロントカバー
１４  上部取り付け部
１５  下部取り付け部
１６  躯体
１７  窓  
【図１】
0003100982.tif 000003
【図２】
0003100982.tif 000004
【図３】
0003100982.tif 000005
【図４】
0003100982.tif 000006